(57)【特許請求の範囲】
【請求項１】
容器体Ｂの口頚部４外周に嵌合させた周壁５内面に突周設した係合突条６を、口頚部４外周に突周設した係止突条７下面を強制的に乗り越え係合させて抜け出しを防止するとともに、周壁５上端縁より延設した頂板８により口頚部４上端開口を閉塞し、且つ、頂板中央部には薄肉の切断線10に囲成された切り取り蓋11を備えてなる本体２と、本体後部上端部に後部下端部を薄肉ヒンジ15を介して回動可能に連結して本体上面を開閉可能に被覆した伏皿状の蓋体３とからなる合成樹脂製のキャップであって、周壁５を縦断する第１臨界線16と、第１臨界線16上端と離隔した周壁５上端位置より下方へ下った後係合突条６上方位置を第１臨界線16と反対側側方へ延びる第２臨界線17との間の周壁５部分を薄肉に形成し、第１臨界線16及び第２臨界線17間の頂板８縁部を貫通して、下端を周壁薄肉部分ａと口頚部４との間の隙間に開口した透孔18を穿設し、薄肉部分ａを各臨界線部分から切断可能に構成してなることを特徴とするキャップ。
【請求項２】
上記透孔18が、薄肉ヒンジ15直前に形成した透孔である請求項１記載のキャップ。
【請求項３】
上記第２臨界線17が、周壁５上端より垂下した後、下向きに湾曲し、次いで螺旋状に上昇して延びる第２臨界線17である請求項１記載のキャップ
【発明の詳細な説明】
【０００１】
【発明の属する技術分野】
本発明はキャップに関する。
【０００２】
【従来の技術】
容器体口頚部に装着するキャップとして、口頚部外周に突条相互の乗り越え係合により抜け出しを防止して周壁を嵌合させ、また、周壁上端縁より内方へ延設した頂板により口頚部上端開口を閉塞し、頂板中央に薄肉の切断線により画成された切り取り蓋を設けてなる本体と、本体後部上端に後部下端を薄肉ヒンジを介して回動可能に連結するとともに、本体上面を開閉可能に閉塞する蓋体とからなるものが知られている。
【０００３】
【発明が解決しようとする課題】
これらのキャップは、例えば、切り取り蓋上面より立設した棒状突起上端のプルリングを引いて切断線の部分から切り取り蓋を取り除き使用するが、従来のこの種のキャップでは、容器体を傾けて収納液を注出使用する際に液圧でキャップが外れてしまうという不都合が生じる場合があった。この様な不都合を解消するためには、口頚部外周に嵌合させている嵌合筒の突条相互の係合をより係合強度の強いものとすれば解消するが、今度は廃棄の際に容易に取り外すことが出来ないという問題が生じる。
【０００４】
近年のゴミ処理事情により、廃棄物の分別処理が要望されており、ガラス，金属，合成樹脂の異種材質は勿論のこと、合成樹脂相互の分別も要望されている。従って、廃棄の際にはキャップを容器体より容易に外せることが望まれる。
【０００５】
本発明は上記した点に鑑みなされたもので、使用時には強固に口頚部に嵌合させておくことができ、注出時の液圧等で外れる虞がなく、使用後には簡単な操作により容易に口頚部から取り外すことができる合成樹脂製のキャップを提案するものである。
【０００６】
【課題を解決するための手段】
本請求項１発明のキャップは上記課題を解決するため、容器体Ｂの口頚部４外周に嵌合させた周壁５内面に突周設した係合突条６を、口頚部４外周に突周設した係止突条７下面を強制的に乗り越え係合させて抜け出しを防止するとともに、周壁５上端縁より延設した頂板８により口頚部４上端開口を閉塞し、且つ、頂板中央部には薄肉の切断線10に囲成された切り取り蓋11を備えてなる本体２と、本体後部上端部に後部下端部を薄肉ヒンジ15を介して回動可能に連結して本体上面を開閉可能に被覆した伏皿状の蓋体３とからなる合成樹脂製のキャップであって、周壁５を縦断する第１臨界線16と、第１臨界線16上端と離隔した周壁５上端位置より下方へ下った後係合突条６上方位置を第１臨界線16と反対側側方へ延びる第２臨界線17との間の周壁５部分を薄肉に形成し、第１臨界線16及び第２臨界線17間の頂板８縁部を貫通して、下端を周壁薄肉部分ａと口頚部４との間の隙間に開口した透孔18を穿設し、薄肉部分ａを各臨界線部分から切断可能に構成してなることを特徴とするキャップとして構成した。
【０００７】
また、請求項２発明のキャップは、上記透孔18が、薄肉ヒンジ15直前に形成した透孔である請求項１記載のキャップとして構成した。
【０００８】
また、請求項３発明のキャップは、上記第２臨界線17が、周壁５上端より垂下した後、下向きに湾曲し、次いで螺旋状に上昇して延びる第２臨界線17である請求項１記載のキャップとして構成した。
【０００９】
【発明の実施の形態】
以下、本発明の実施例の形態を図面を参照して説明する。
【００１０】
本発明のキャップＡは、本体２と、蓋体３とから構成している。
【００１１】
本体２は、容器体Ｂの口頚部４外周に嵌合させた周壁５底面に突周設した係合突条６を、口頚部４外周に突周設した係止突条７下面に強制的に乗り越え係合させて抜け出しを防止するとともに、周壁５上端縁より延設した頂板８により口頚部４上端開口を閉塞している。図示例では、頂板８下面周縁部より垂設したシール筒９を口頚部４内周に密嵌させてこの部分からの液漏れの防止を図っている。
【００１２】
頂板８中央部には薄肉の切断線10に囲成された切り取り蓋11を備えている。
【００１３】
切り取り蓋11の上面からは棒状突起12を立設し、該突起12の先端より水平状にプルリング13を延設している。このプルリング13を掴んで引くことにより、切断線を切断して切り取り蓋11を除去し、注出口を開口する如く構成している。切り取り蓋11の外方の頂板８上面からは注出筒14を立設している。
【００１４】
蓋体３は、本体２の後部上端部に後部下端部を薄肉ヒンジ15を介して回動可能に連結して本体上面を開閉可能に被覆した伏皿状をなしたものが使用される。
【００１５】
本発明では、上記した如きこの種のキャップに於いて、周壁５を縦断する第１臨界線16と、第１臨界線16上端と離隔した周壁５上端位置より下方へ下った後係合突条６上方位置を第１臨界線16と反対側側方へ延びる第２臨界線17との間の周壁５部分を薄肉部分ａに形成している。
【００１６】
また、第１臨界線16及び第２臨界線17間の頂板８縁部を貫通して、下端を周壁５の薄肉部分ａと口頚部４との間の隙間に開口した透孔18を穿設し、薄肉部分ａを各臨界線部分で切断可能に構成している。
【００１７】
透孔18の形成位置は、周壁５の周方向どの位置であっても良いが、蓋体３を持って各臨界線部分を切断するのが可能となる薄肉ヒンジ15直前部分に設けると良い。透孔18は少なくとも周壁５に掛かった位置に周壁５に沿って穿設し、薄肉部分ａと口頚部４との間の隙間に下端を開口する。第１臨界線16及び第２臨界線17部分の薄肉部分ａはその中央部の薄肉部分ａと同じ厚み幅に形成しても良いが、周壁５の肉厚、材質等により、各臨界線部分を他の部分ａより肉薄に形成し、より切断し易く構成することも可能である。
【００１８】
薄肉部分ａは上記透孔18と併せて、本体周壁５を部分的に切断し、本体を口頚部４から容易に取り外せる如くするためのもので、その形状は種々採用できるが、その第２臨界線17が係合突条６より上方位置に存在する必要がある。但し、第２臨界線17の極一部分が係合突条６より下方に位置する場合があっても、本発明の目的，効果を達成できるものではある。また、薄肉部分ａを特に切断させ易くするために、第２臨界線17を、周壁５上端より垂下した後、下向きに湾曲し、次いで螺旋状に上昇して延びる如く形成している。
【００１９】
第２臨界線17の設置長さとしては、特に限定されるものではないが、本体周壁５上端の一側に基端を発し、側方に延びてからは周壁５の周方向１／３〜１／２程度の長さに設けると、キャップを比較的容易に口頚部からの取り外しが行えるとともに、使用時には薄肉部分ａの存在があっても安定して口頚部４に装着させておくことが出来る。尚、第２臨界線17を、周壁を一周して第１臨界線16まで延設することも可能ではある。
【００２０】
この様なキャップＡを使用する場合には、プルリング13を引いて切断線10部分を切断して切り取り蓋11を取り除き使用する。この際には係止突条７と係合突条６との充分な係合強度を備えており、注出液の液圧でキャップが外れる等を防止している。また、容器体内収納液を使用後に廃棄する際には、透孔18上方より金属板等の道具19を挿入して、図２に示す如く、薄肉部分ａ両側の第１臨界線16及び第２臨界線部分を切断し、次いで、図３に示す如く、第２臨界線17の部分から周壁５を切断する。この際には手で蓋体３を持って行える。第２臨界線17がある程度まで切断されると、口頚部４から容易にキャップＡを外すことが出来る。尚、図示例の如く、透孔18が薄肉ヒンジ15部分に存在する場合には、上記した如き道具19を使用しないで、手で蓋体３を直接持って引き下げた後側方へ引っ張ることにより同様に各臨界線を切断することができる。
【００２１】
【発明の効果】
以上説明した如く本発明のキャップは、周壁５を縦断する第１臨界線16と、第１臨界線16上端と離隔した周壁５上端位置より下方へ下った後係合突条６上方位置を第１臨界線16と反対側側方へ延びる第２臨界線17との間の周壁５部分を薄肉に形成し、第１臨界線16及び第２臨界線17間の頂板８縁部を貫通して、下端を周壁薄肉部分ａと口頚部４との間の隙間に開口した透孔18を穿設し、薄肉部分ａを各臨界線部分から切断可能に構成したので、液の注出の為に容器を傾倒させた際に勢い良く容器体口頚部へ流出する液圧によりキャップが外れる等の不都合を防止するために、係止突条及び係合突条を充分な係合強度で係合させて不用意な外れを防止しても、収納液使用後は、簡単な操作により容器体から取り外すことができ、各部分の分別廃棄を行えるものである。
【００２２】
また、請求項２発明のキャップの場合には、金属板等の道具を使用せずに手で蓋体を持って薄肉部分を破断することができる利点を兼ね備えている。
【００２３】
また、請求項３発明のキャップの場合には、薄肉部分を無理なく簡単に切断することが出来る利点を兼ね備えている。
【図面の簡単な説明】
【図１】本発明の一実施例を示す斜視図である。
【図２】同実施例の開蓋状態の斜視図である。
【図３】同実施例の周壁を切断し始めた状態の斜視図である。
【図４】同実施例の周壁を略切断し終えた状態の斜視図である。
【図５】同実施例の縦断面図である。
【符号の説明】
２…本体，３…蓋体，４…口頚部，５…周壁，６…係合突条，
７…係止突条，８…頂板，９…シール筒，10…切断線，
11…切り取り蓋，15…薄肉ヒンジ，16…第１臨界線，17…第２臨界線，
18…透孔，Ｂ…容器体，ａ…薄肉部分
【図１】
0003839617.tif 000002
【図２】
0003839617.tif 000003
【図３】
0003839617.tif 000004
【図４】
0003839617.tif 000005
【図５】
0003839617.tif 000006